(57)【要約】【課題】ユーザ好みに股下部の長さを自由に調節できる長ズボンを提供する。【解決手段】着用者の腰にかける腰部，臀部，臀部の両側垂直配置された股下部からなる長ズボンにおいて，股下部の先端側となる裾締め部から股下部の基端側の大腿部までに形成される接合部には，ファスナが設けられ，ファスナを裾締め部から大腿部まで移動切開させることにより，接合部を中心に第１股下部と第２股下部に分離可能となり，分離された第１股下部および第２股下部を内側に折り曲げることにより股下部の長さが調節可能となることを特徴とし，このときファスナを所定長さ外してから，第１股下部および第２股下部を内側に折り曲げて固定可能とするための一つ以上の固定手段を具備することとしてもよい。【選択図】　　図２
0003096903.tif 000002
【実用新案登録請求の範囲】
【請求項１】
着用者の腰にかける腰部，臀部，前記臀部の両側垂直配置された股下部からなる長ズボンにおいて；
前記股下部の先端側となる裾締め部から前記股下部の基端側の大腿部までに備わる接合部には，ファスナが設けられ，該ファスナを前記裾締め部から前記大腿部まで移動切開させることにより，前記接合部を中心に第１股下部と第２股下部に分離可能となり，
分離された前記第１股下部および前記第２股下部を内側に折り曲げることにより前記股下部の長さが調節可能となることを特徴とする，長ズボン。
【請求項２】
前記ファスナを所定長さ外してから，前記第１股下部および前記第２股下部を内側に折り曲げて固定可能とするための一つ以上の固定手段を具備することを特徴とする，請求項１に記載の長ズボン。
【請求項３】
前記固定手段は，前記裾締め部の内周に設けられた第１接着部と前記股下部の内側に設けられた第２接着部とから構成され，前記第１接着部と前記第２接着部は，１対のマジックテープ（登録商標）であることを特徴とする，請求項２に記載の長ズボン。
【請求項４】
前記固定手段は，前記裾締め部の内周に設けられた第１接着部と前記股下部の内側に設けられた第２接着部とから構成され，前記第１接着部と前記第２接着部は，１対の凹面状および凸面状のスナップボタンであることを特徴とする，請求項２に記載の長ズボン。
【請求項５】
前記長ズボンは，前記股下部に垂直配置された前記ファスナの一側に長手方向に配置されるカラー層を備えることを特徴とする，請求項１に記載の長ズボン
【請求項６】
前記股下部の先端側には，前記第１股下部の先端側に設けられたベルト状の第１接着部と，前記第２股下部の先端側に設けられた前記第１接着部と接着可能な第２接着部とから構成される支持部材が備わることを特徴とする，請求項１に記載の長ズボン。
【考案の詳細な説明】
【０００１】
【考案の属する技術分野】
本考案は，長ズボンに関するもので，特に股下部の長さの調節可能な長ズボンに関するものである。
【０００２】
【従来の技術】
一般に長ズボンは，使用者の脚部と股間部を隠すと同時に外部の衝撃から守る衣服の一種であり，季節，気候，用途等の理由によって，股下部の長さは，多様であり，一定の通気性を備えている。
【０００３】
しかし，従来の長ズボンは，季節または用途毎に股下部の長さが異なる股下部の長ズボンを用意する必要があったため，利用者にとって不便であった。このような問題点を改善するために，周囲の環境，または用途等に従って，多様な機能を有することの可能な分離型衣服が実開１９９８−６５３４７号公報（以下，実用新案文献１とする。）に掲載されている。
【０００４】
図１は，実用新案文献１に掲載された分離型衣服の全体構成図である。図１に示すように，衣服ＣＴの脚部の付け根に当たる部分の末端ＥＬにファスナ１（ＳＡ１）を具備し，股下部にファスナ１（ＳＡ１）と結合されるファスナ２（ＳＡ２）を具備し，任意脱着できる構成となっている。
【０００５】
【実用新案文献１】
実開１９９８−６５３４７号公報
【０００６】
【考案が解決しようとする課題】
しかしながら，上記の分離型衣服は，衣服の一部が分離または結合させることが可能な構成であり便利ではあるものの，分離された衣服の一部は，別途保管する必要がある。また，服を着用時に衣服の分離が起こる可能性もあるなどの装着感の劣化も問題となる。さらに，気温変化が不規則な季節の変わり目には，分離された衣服を携帯する必要があるなどの短所もあった。
【０００７】
本考案は，従来の長ズボンが有する上記問題点に鑑みてなされたものであり，本考案の目的は，股下部の長さを自由に調節でき，多様な機能を演出可能な長ズボンを提供することである。
【０００８】
また，他の目的としては，例えば季節の変わり目の温度の変化にも関わらず，余分の衣服を用意する必要がない長ズボンを提供することである。
【０００９】
【課題を解決するための手段】
上記課題を解決するため，本考案の第１の観点によれば，着用者の腰にかける腰部，臀部，前記臀部の両側垂直配置された股下部からなる長ズボンにおいて，股下部の先端側となる裾締め部から股下部の基端側の大腿部までに形成される接合部には，ファスナが設けられ，ファスナを裾締め部から大腿部まで移動切開させることにより，接合部を中心に第１股下部と第２股下部に分離可能となり，分離された第１股下部および第２股下部を内側に折り曲げることにより股下部の長さが調節可能となることを特徴とする，長ズボンが提供される。
【００１０】
このとき，ファスナを所定長さ外してから，第１股下部および第２股下部を内側に折り曲げて固定可能とするための一つ以上の固定手段を具備することとしてもよい。
【００１１】
また，かかる固定手段は，裾締め部の内周に設けられた第１接着部と股下部の内側に設けられた第２接着部とから構成され，第１接着部と第２接着部は，１対のマジックテープであることとしてもよく，１対の凹面および凸面状のスナップボタンであることとしてもよい。
【００１２】
かかる構成とすることにより，長ズボンの股下部の長さを自由に調節することができるようになる。
【００１３】
さらに，長ズボンは，股下部に垂直配置されたファスナの露出を防止するためファスナの一側に長手方向に配置されるカラー層を備えることとしてもよい。
【００１４】
かかる構成とすることにより，ファスナが解除できないよう固定することが可能になると同時に，新たなファッション，洗練されたデザインを演出することも可能となる。
【００１５】
また，股下部の先端側には，第１股下部の先端側に設けられたベルト状の第１接着部と，第２股下部の先端側に設けられた第１接着部と接着可能な第２接着部とから構成される支持部材が備わることとしてもよい。
【００１６】
かかる構成とすることにより，ファスナによって股下部を切開させた後でも，支持部材により股下部が翻ることを防ぐことができる。
【００１７】
【考案の実施の形態】
以下に添付図面を参照しながら，本考案の好適な実施の形態について詳細に説明する。なお，本明細書及び図面において，実質的に同一の機能構成を有する構成要素については，同一の符号を付することにより重複説明を省略する。
【００１８】
図２は，本考案の第１の実施の形態による長ズボンの外観を示す斜視図で，図３は，図２のＡ部の拡大詳細図であり，図４は，本考案の第２の実施の形態による長ズボンの横断面図で，図５は本考案の第３の実施の形態による長ズボンの一側面図である。
【００１９】
図２および図３に示すように，本実施形態の長ズボン１０は，着用者の腰部にかける腰部１１と，腰部１１の下部に筒状に形成され，前方に衣服の着脱を容易にするための開閉ファスナ１２ａを備えた臀部１２と，臀部１２が下部両側に分離して設けられている股下部１３とから構成される。
【００２０】
股下部１３は，中心断面を基準に前後両側に分けられ，その断部に糸で結合される接合部１３ａがあり，この各接合部１３ａの内側に設けられたファスナ１００によって，第１股下部１３ｂと第２股下部１３ｃに分離される。ファスナ１００は，裾締め部１４から臀部１２下段の大腿部１５まで延在し，このファスナ１００を開閉するためのファスナハンドル１０１は，裾締め部１４に配置される構成にし，裾締め部１４から大腿部に向けて上げるとファスナが解除される。
【００２１】
また，股下部１３の内周には，上下方向に少なくとも１つの固定手段２００が備えられている。この固定手段２００は，裾締め部１４の内周に合成樹脂突起が多数形成されたマジックテープを備えることにより形成される第１接着部２１０と，この第１接着部２１０の上側にかかる合成樹脂突起と接着可能な繊維材毛糸から形成される第２接着部２２０とから構成される。このような固定手段２００は，マジックテープ以外の接着手段，例えば凹凸スナップボタン等により形成されることも可能である。
【００２２】
図３を参照に長ズボン１０の作用を説明する。股下部１３の下側に配置されているファスナハンドル１０１を上方向に回転させるとファスナ止め１０１ａがファスナ１００から解除され自由に可動となる。このファスナハンドル１０１を持って上に上げると股下部１３は，第１股下部１３ｂと第２股下部１３ｃの両側に分けられ，股下部１３の内側に容易に折り上げることができる状態になる。
【００２３】
このように第１および第２股下部１３ｂ，１３ｃの下側に有する裾締め部１４を内側に折り曲げて股下部１３の内側にある第２接着部２２０に裾締め部１４の内周の第１接着部２１０をつけ，最後に上側に上げられたファスナハンドル１０１を下に移動させ，解除されたファスナ止め１０１ａがファスナ１００に掛かり固定状態になり，長さ調節が完了となる。
【００２４】
このような股下部１３の両側に配置されたファスナ１００によって，容易に長さが調節でき，内側に備えられた固定手段２００によって股下部が下に落ちることがないので，気候や用途によって，股下部１３の長さが調節可能となり，多様な機能の演出が可能になる。
【００２５】
図４に示したのは，本考案の長ズボン１０の第２の実施の形態であり，外部から見てファスナ１００の露出を防止する方法である。その内容は，既に分離されている股下部１３の接合部１３ａの片方に，カラー層３００の一端をミシン糸で縫い固定して置く。また，もう一端の内側には，マジックテープの第１接着部３１０が配置されている。もう一つの接合部１３ａには，股下部１３に垂直長さ方向に第２接着部３２０を配置し，上記のカラー層３００の内側にある第１接着部３１０と互いに接着できるようにする。
【００２６】
上述のような構成とすることにおり，股下部の長さ調節が完了してから，カラー層３００でファスナ１００を隠すことができる。
【００２７】
このようなカラー層３００は，長ズボン１０と同じ色にすることもできれば違う色にすることにより，新たなファッション，洗練されたデザインを演出するのも可能であり，さらにファスナ１００が解除できないよう固定する役割も果たす。
【００２８】
図５は，本考案による長ズボン１０の第３の実施の形態を示したものであり，股下部１３の先端，つまり裾締め部１４に支持部材４００を配置し，ファスナ１００を上に移動させ，股下部１３を折り曲げなくても容易に風通しを良くすることが可能である。
【００２９】
支持部材４００は，第１股下部１３ｂの先端側に設けられたベルト状の第１接着部４１０と，第２股下部１３ｃの先端側に配置された第２接着部４２０とから構成される。第１接着部４１０は，基端が第１股下部１３ｂの先端側に固定され，また第１接着部４１０の先端側には，マジックテープの合成樹脂の突起が多数形成されている。さらに，第２股下部１３ｃの先端側には，上記の第１接着部４１０の合成樹脂突起が接着できるように繊維毛糸が形成された第２接着部４２０が設けられている。
【００３０】
支持部材４００は，上記のマジックテープの他に，スナップボタンまたは第１接着部４１０にボタン穴を形成し，このボタン穴に対応する位置である第２接着部４２０にボタンをつけて固定する方法等でも実施可能である。
【００３１】
本実施形態において，支持部材４００を長手方向に複数個配置することにより，本考案のファスナ１００を解除した状態で股下部１３が翻ることを防ぎ，風通しをよくすることができる。
【００３２】
以上，添付図面を参照しながら本考案の好適な実施形態について説明したが，本考案はかかる例に限定されない。当業者であれば，実用新案請求の範囲に記載された技術的思想の範疇内において各種の変更例または修正例に想到し得ることは明らかであり，それらについても当然に本考案の技術的範囲に属するものと了解される。
【００３３】
【考案の効果】
以上説明したように，本考案によれば，股下部が調節できる長ズボンによって，周囲の条件に合わせて多様な長さに調節できる。また，股下部の外部色に合わせて多様なファッションの演出が可能となり，さらに，季節が変わっても余分の衣服の準備を減らすことが可能になる。
【図面の簡単な説明】
【図１】図１は，従来の股下部の一側面図である。
【図２】図２は，本考案の第１の実施の形態による長ズボンを示した斜視図である。
【図３】図３は，本考案の第１の実施の形態による長ズボンの機能を示したもので，図２‘Ａ’部の拡大図である。
【図４】図４は，本考案の第２の実施の形態による長ズボンの横断面図を示したものである。
【図５】図５は，本考案の第３の実施の形態による長ズボンの一側面図を示したものである。
【符号の説明】
１０　　長ズボン
１１　　腰部
１２　　臀部
１３　　股下部
１３ａ　　接合部
１３ｂ　　第１股下部
１３ｃ　　第２股下部
１４　　裾締め部
１００　　ファスナ
２００　　固定手段
２１０　　第１接着部
２２０　　第２接着部
３００　　カラー層
３１０　　第１接着部
３２０　　第２接着部
４００　　支持部材
４１０　　第１接着部
４２０　　第２接着部
【図１】
0003096903.tif 000003
【図２】
0003096903.tif 000004
【図３】
0003096903.tif 000005
【図４】
0003096903.tif 000006
【図５】
0003096903.tif 000007
【手続補正書】
【提出日】平成15年6月16日(2003.6.16)
【手続補正１】
【補正対象書類名】明細書
【補正対象項目名】実用新案登録請求の範囲
【補正方法】変更
【補正の内容】
【実用新案登録請求の範囲】
【請求項１】
着用者の腰にかける腰部，臀部，前記臀部の両側垂直配置されたズボン股下部からなるジーパン長ズボンにおいて；
ジーパン前記股下部の先端側となる裾締め部から前記股下部の基端側の大腿部までに備わる接合部には，ファスナが設けられ，該ファスナを前記裾締め部から前記大腿部まで移動切開させることにより，前記接合部を中心に第１ズボン股下部と第２ズボン股下部に分離可能となり，
分離された前記第１ズボン股下部および前記第２ズボン股下部を内側に折り曲げることによりズボン前記ズボン股下部の長さが調節可能となることを特徴とする，ジーパン長ズボン。
【請求項２】
前記ファスナを所定長さ外してから，前記第１ズボン股下部および前記第２ズボン股下部を内側に折り曲げて固定可能とするための一つ以上の固定手段を具備することを特徴とする，請求項１に記載のズボンジーパン長ズボン。
【請求項３】
前記固定手段は，前記裾締め部の内周に設けられた第１接着部と前記股下部の内側に設けられた第２接着部とから構成され，前記第１接着部と前記第２接着部は，１対の面ファスナであることを特徴とする，請求項２に記載のズボン長ズボンジーンズ。
【請求項４】
前記固定手段は，前記裾締め部の内周に設けられた第１接着部と前記股下部の内側に設けられた第２接着部とから構成され，前記第１接着部と前記第２接着部は，１対の凹面状および凸面状のスナップボタンであることを特徴とする，請求項２に記載のズボンジーパン長ズボン。
【請求項５】
前記ジーパン長ズボンは，前記ズボン股下部に垂直配置された前記ファスナの一側に長手方向に配置されるカラー層を備えることを特徴とする，請求項１に記載のズボンジーパン長ズボン
【請求項６】
前記股下部の先端側には，前記第１股下部の先端側に設けられたベルト状の第１接着部と，前記第２ズボン股下部の先端側に設けられた前記第１接着部と接着可能な第２接着部とから構成される支持部材が備わることを特徴とする，ジーパン請求項１に記載のズボンジーパン長ズボン。
【手続補正２】
【補正対象書類名】明細書
【補正対象項目名】００１１
【補正方法】変更
【補正の内容】
【００１１】
また，かかる固定手段は，裾締め部の内周に設けられた第１接着部と股下部の内側に設けられた第２接着部とから構成され，第１接着部と第２接着部は，１対の面ファスナ（マジックテープ；登録商標）であることとしてもよく，ズボン１対の凹面および凸面状のスナップボタンであることとしてもよい。